(57)【要約】【課題】使用中に、複合導体特に磁気コイルの多芯ストランドが損傷した場合にも、損傷箇所の如何にかかわらず、ハンダ接合部を通って隣接するストランドに電流が流れ、連続的な電流の流れを確保することができる複合導体を提供する。【解決手段】ハンダ接合された多芯超伝導ストランド（１、１’）を備えた複合導体であって、前記ストランドは、その全長にわたり連続的なハンダ接合部（２、２’）によって組み合わされ、前記ハンダ接合が低融点合金からなっていることを特徴とする複合導体。【選択図】図１
2006059811.tif 000002
【特許請求の範囲】
【請求項１】
ハンダ接合された多芯超伝導ストランド（１、１’）を備えた複合導体であって、前記ストランドは、その全長にわたり連続的なハンダ接合部（２、２’）によって組み合わされ、前記ハンダ接合が低融点合金からなっていることを特徴とする複合導体。
【請求項２】
前記ハンダ接合部（２、２’）は、前記組み合わされたストランド（１、１’）を合金浴の中に通すことによって得られることを特徴とする、請求項１に記載の複合導体。
【請求項３】
前記合金が錫合金であることを特徴とする請求項１または２に記載の複合導体。
【請求項４】
前記ストランド（１、１’）が常伝導銀マトリックス中のＢｉ２２１２芯線からなっていることを特徴とする、請求項１から３の何れか１項に記載の複合導体。
【請求項５】
前記ストランドが平らな超伝導テープ（１Ａから１Ｃ）からなっていることを特徴とする、請求項１から４の何れか１項に記載の複合導体。
【請求項６】
前記ストランド（１Ａから１Ｃ）が重ね合わされ、そして、平行であることを特徴とする、請求項３に記載の複合導体。
【請求項７】
機械的補強板（３Ａ、３Ｂ）を備えていることを特徴とする、請求項５または６に記載の複合導体。
【請求項８】
前記ストランドが円柱状超伝導ワイヤ（１’Ａから１’Ｆ）であることを特徴とする、請求項１から３の何れか１項に記載の複合導体。
【請求項９】
前記超伝導ワイヤは、円柱状支持材（３’）の周りに配置されていることを特徴とする、請求項１から８の何れか１項に記載の複合導体。
【発明の詳細な説明】
【技術分野】
【０００１】
本発明は、多芯超伝導ストランドを備えた複合導体に関し、特に、巻かれて、超伝導磁気コイルを製造するための多芯超伝導ストランドを備えた複合導体に関する。
【背景技術】
【０００２】
多芯超伝導ストランドを、銀マトリックス中でワイヤまたはテープクラッド形状に製造することが知られている。ストランドは、一般に、ビレットから製造される。ビレットは線引き加工され、他のビレットを線引き加工したものと束ねられる。このようにして得られた多芯ストランドは同じステップを繰り返し、このプロセスは単位面積当り所定数の芯線が得られるまで続けられる。線引き加工は、圧延によって行うことができる。
【０００３】
上述した多芯ストランドは、巻き取られて超伝導磁気コイルが得られる。
米国特許Ｎｏ．６３３９０４７には、複数の超伝導ワイヤからワイヤをハンダ接合してケーブルを製造することが開示されている。
【０００４】
【特許文献１】米国特許Ｎｏ．６３３９０４７
【発明の開示】
【発明が解決しようとする課題】
【０００５】
しかしながら、このようなコイルには次の問題点がある。
ワイヤまたはテープの形状の何れであっても、多芯ストランドは、薄く且つ非常に脆い。従って、ワイヤまたはテープに傷を付けることなく巻き取ることは非常に難しい。例えば、上述のように圧延によって成形されたテープは、厚さに対する幅の比が１５から２０の水準である。
【０００６】
更に、ストランドは小さく、このことはコイルを得るためには多数回の巻き付けが必要であり、従って、相対的に長い多芯ストランドおよび相対的に長い巻取り時間が必要である。
【課題を解決するための手段】
【０００７】
この発明の目的は、その相対的に大きな断面によって上述した技術的問題を解決した複合超伝導体を提供することにあり、この超伝導体は巻取りを容易にすることができる強度を有しており、巻き取り回数を少なくして巻取りができ、プロセスを最適化することができる。
【０００８】
このために、この発明は、ハンダ接合された多芯超伝導ストランドを備えた複合導体であって、前記ストランドは、その全長にわたり連続的なハンダ接合部によって組み合わされ、前記ハンダ接合が低融点合金からなっていることを特徴とする複合導体を提供する。
【０００９】
この発明は、次の重要な利点を有している。即ち、使用中に、複合導体特に磁気コイルの多芯ストランドが例えば破損によって損傷した場合に、損傷箇所の如何にかかわらず、ハンダ接合部を通って隣接するストランドに電流が流れ、連続的な電流の流れを確保する。このような場合には、ストランド間の電流の交換が行われて操作が続行され、コイルの操作点を制限することなく、低い臨界電流を有する多芯ストランドの部分を分流させることができる。
【００１０】
電気的な接続は、連続的ハンダ接合部を備えているので、元々ハンダに必要な材料を備えている複合導体にハンダ付けすることによって容易に行うことができる。
【００１１】
好ましい態様において、前記ハンダ接合部は、前記組み合わされたストランドを合金浴の中に通すことによって得られる。
前記合金が錫合金である。
前記ストランドが常伝導銀マトリックス中のＢｉ２２１２芯線からなっている。
第１の態様において、前記ストランドが平らな超伝導テープからなっている。
【００１２】
前記ストランドが好ましくは重ね合わされ、そして、平行である。
好ましくは、少なくとも１つの機械的補強板を備えている。
第２の態様において、前記ストランドが円柱状超伝導ワイヤである。
前記超伝導ワイヤは、円柱状支持材の周りに配置されている。
【発明の効果】
【００１３】
使用中に、複合導体特に磁気コイルの多芯ストランドが例えば破損によって損傷した場合に、損傷箇所の如何にかかわらず、ハンダ接合部を通って隣接するストランドに電流が流れ、連続的な電流の流れを確保する。このような場合には、ストランド間の電流の交換が行われて操作が続行され、コイルの操作点を制限することなく、低い臨界電流を有する多芯ストランドの部分を分流させることができる。
電気的な接続は、連続的ハンダ接合部を備えているので、元々ハンダに必要な材料を備えている複合導体にハンダ付けすることによって容易に行うことができる。
【発明を実施するための最良の形態】
【００１４】
この発明を、この発明の好ましい態様を示す図面を参照しながら詳細に説明する。
図１は、その全長にわたって連続的ハンダ接合部によって組み合わされた平らなテープ状の多芯超伝導ストランド１Ａから１Ｃを備えた複合導体を示す。ハンダ接合部は、低融点合金からなっている。好ましい態様おいては、テープ１は、常伝導銀マトリックス内に配置されたＢｉ２２１２芯線からなっている。
【００１５】
合金は、好ましくは、錫合金である。代わりに、鉛、ビスマスまたはインジウムの合金を使用することができる。
テープ１は、重ね合わされ、平行になるように組み合わされて、合金浴、例えば錫合金浴中に浸漬され、連続的な接合部が形成され、サンドイッチ状の複合体が得られる。
【００１６】
上述した合金浴中への浸漬間、機械的な補強板３Ａ、３Ｂが、複合体の２つの長軸方向の面にハンダ付けされる。板３は金属例えばステンレス鋼または銅合金によって製造されている。
【００１７】
図２は、その全長にわたって連続しているハンダ接合部２’によって組み合わされた円柱状の多芯超伝導ストランド１’Ａから１’Ｆを備えた複合導体を示す。ハンダ接合部２’は、低融点合金からなっている。好ましい態様おいては、ワイヤ１’は、常伝導銀マトリックス内に配置されたＢｉ２２１２芯線からなっている。
【００１８】
合金は、好ましくは、錫合金である。代わりに、鉛、ビスマスまたはインジウムの合金を使用することができる。
ワイヤ１’は、円柱状金属、例えば、ステンレス鋼、または銅合金支持材３’の周りに配置されて組み合わされて、合金浴、例えば錫合金浴中に浸漬され、連続的な接合部が形成され、円柱状の複合体が得られる。
【００１９】
上述した２つの好ましい態様から明らかなように、この発明の多芯超伝導ストランドを備えた複合導体は、多芯ストランド自体の面積の４から７倍の面積を有している。結局、その形状および複合体の故に、機械的により強固である。
多芯テープの場合には、図１に示すように、複合導体の厚さに対する幅の比は
著しく小さく、コンパクトな形状で、導体はより強固である。
【００２０】
円柱状ワイヤの場合には、図２に示すように、同様に、円柱状支持材を使用した補強によって、コンパクトで堅個な構造が得られる。
従って、巻取って例えば磁気コイルを製造する際に、複合導体の操作が容易である。更に、示した態様において、コイルはより早く製造され、例えば４から６と回転数は少ない。
【００２１】
複合導体の使用時、例えば、コイル状で使用される時に、多芯ストランドが損傷すると、電流はハンダ接合部を通って隣接するストランドに迂回し、全体としての電流の流れを維持する。
【００２２】
勿論、この発明は、図示し上述した実施態様に限定されるものではなく、発明の精神から逸脱しないで当業者の能力範囲内での改良が可能である。特に、この発明の範囲内で、Ｂｉ２２１２を同一特性を有する他の材料で置き換えることができる。多芯ストランドの断面形状は矩形であっても円形であってもよく、例えば、異なった形状、例えば四角形であってもよい。
【図面の簡単な説明】
【００２３】
【図１】図１は、この発明の第１の態様の断面図である。である。
【図２】図２は、この発明の第２の態様の断面図である。である。
【符号の説明】
【００２４】
・  １Ａ、１Ｂ、１Ｃ  多芯超伝導ストランド
２  ハンダ接合部
３、３Ａ、３Ｂ  補強板
【図１】
2006059811.tif 000003
【図２】
2006059811.tif 000004
【外国語明細書】
1. Title of Invention
2006059811.tif 000005
2. Detailed Description of Invention
2006059811.tif 000006
2006059811.tif 000007
2006059811.tif 000008
2006059811.tif 000009
2006059811.tif 000010
3．Brief Description of Drawings
2006059811.tif 000011
Claims
2006059811.tif 000012
1. Abstract
2006059811.tif 000013
2. Representative Drawings
Fig.1
Fig. 1
2006059811.tif 000014
Fig. 2
2006059811.tif 000015